(57)【要約】【課題】  折り畳んで１本にすることができる脚立であって、開いて自立させ、使用状態にしたときの安定性に優れた脚立を提供する。【解決手段】  頂部で回動自在に結合される脚部１０１，１０２，１０３，１０４と、軸方向の移動が自在に支持された中心軸１１０と、中心軸１１０の下端の固定ブロック１１２と、中間のスライドブロック１１３と、中心軸の上端のストッパ１１１と、一端が脚部に回動自在に結合され他端が固定ブロック又はスライドブロックと回動自在に結合された踏み板１２１，１２２と、固定ブロックとスライドブロック間に設けられ大きい筒体１３２と小さい筒体１３１とからなる補強スペーサ１３０とからなる。補強スペーサ１３０は、大きい筒体１３２に小さい筒体１３１が入った縮小した格納状態と、大きい筒体１３２と小さい筒体１３１が重なった伸長した使用状態とに変化可能である。【選択図】      図１
2008069621.tif 000002
【特許請求の範囲】
【請求項１】
頂部で１箇所に纏められて回動自在に結合され、下端が開いた使用状態と相互にほぼ平行なる閉じた格納状態とに開閉可能な３本以上の脚部と、前記頂部に軸方向の移動が自在に支持された中心軸と、該中心軸の上端に固定されたストッパと、中心軸の下端に固定された固定ブロックと、中心軸の中間にスライド自在に設けられた１以上のスライドブロックと、各脚部に一端が回動自在に結合され他端が前記固定ブロック又はスライドブロックと回動自在に結合された複数の踏み板と、前記固定ブロックとスライドブロック又は隣接するスライドブロック相互間に設けられ前記使用状態のとき、上下にある踏み板をほぼ水平状態に維持する補強スペーサと、を有することを特徴とする折り畳み式脚立。
【請求項２】
頂部で１箇所に纏められて回動自在に結合され、下端が開いた使用状態と相互にほぼ平行に閉じた格納状態とに開閉可能な３本以上の脚部と、前記頂部に一端が固定され、前記複数の脚部のほぼ中心に配置される中心軸と、該中心軸にスライド自在に設けられた複数のスライドブロックと、各スライドブロックの下限位置を設定するために前記中心軸に設けられた複数のストッパと、前記脚部の異なる位置に離間して設けられ、それぞれの一端が前記脚部に他端が前記別々のスライドブロックにそれぞれ回動自在に結合される複数の踏み板と、を有することを特徴とする折り畳み式脚立。
【請求項３】
前記各脚部の外側面を円筒面の一部とし、前記３本以上の脚部を格納状態にして１本に纏めたとき、複数の脚部でほぼ円筒形になることを特徴とする請求項１又は２に記載の折り畳み式脚立。
【請求項４】
前記補強スペーサが、大小２つの筒体からなり、大きな筒体に小さな筒体が進入可能で、小さな筒体を大きな筒体から引き抜いて、中心軸回りに所定角度回転させたとき小さい筒体が大きな筒体に進入不能となることを特徴とする請求項１に記載の折り畳み式脚立。
【請求項５】
前記小さな筒体又は大きな筒体が所定角度回転した状態で前記筒体同士が当接したとき、小さな筒体の中心軸回りの回転を阻止する凹凸部が、大きな筒体及び／又は小さな筒体に形成されていることを特徴とする請求項４記載の折り畳み式脚立。
【請求項６】
前記補強スペーサが、上下に隣接する踏み板間にあって一端が前記ブロック又は踏み板に回動自在に取り付けられた棒状体からなり、該棒状体は、格納状態では前記踏み板と重なり合い、使用状態では格納状態からほぼ９０゜回転して先端が上又は下の踏み板に当接することを特徴とする請求項１に記載の折り畳み式脚立。
【請求項７】
前記補強スペーサが、前記上下の踏み板間に着脱自在に設けられた棒状体であることを特徴とする請求項１に記載の折り畳み式脚立。
【発明の詳細な説明】
【技術分野】
【０００１】
本発明は、折り畳み式脚立に関し、特に、安定して使用することができ、しかも、１本に折り畳めて携帯に便利な脚立に関する。
【背景技術】
【０００２】
通常の折り畳み式脚立は、２つの梯子体を、一端で回動自在に結合したもので、開き角度を保持する部材が設けられている。しかし、このような脚立は、折り畳んでも、小型の梯子を２つ重ねたものにしかならず、嵩張る。
【０００３】
特許文献１には、２本のコの字型の支持脚に、３本の踏み板を両側が回動自在になるように取り付けた２つの梯子体を、一端で回動自在に結合した脚立が記載されている。このような脚立は、折り畳むと４本の支持脚が１本に纏まるので、持ち運びや収納に便利である。
【０００４】
また、特許文献２には、踏み板の中央が折り曲げ自在になっている脚立が記載されている。この脚立は、折り畳んだときの長さを、特許文献１の脚立と比べて短くすることができる。
【０００５】
しかしながら、これらの文献に記載された脚立は、踏み板の両端が回動自在な構造のために、簡単な回り止めを支持脚に設けており、脚立として自立させたとき、倒れないようにしているが、左又は右に揺れ易く、安定性に欠けていた。
【０００６】
そこで、特許文献３では、踏み板ストッパを設けて、左右の揺れを防止するようにしている。この踏み板ストッパは、一端を梯子体の一方の脚に回動自在に取り付け、他方を、踏み板に立設された結合ピンと係合している。脚立を折り畳めるようにしているために、結合ピンとの係合部は、長孔となっていて、長孔の先端がＬ型に折れ、脚立として使用するときには、結合ピンがこの長孔の折れた部分に入ることで、ストッパとして働くようになっている。このようにすることで、脚立の左右の揺れをある程度は止めることができる。
【特許文献１】特開２００１−３４９１６２号
【特許文献２】特開２０００−３０３７６５号
【特許文献３】実開昭６１−１４４１９９号
【発明の開示】
【発明が解決しようとする課題】
【０００７】
しかしながら、特許文献３に記載の踏み板ストッパでは、結合ピンが長孔と係合しているので、結合ピンは長孔内を移動でき、結合ピンと長孔の幅とを比較すると長孔の幅の方が大きいので、ガタツキがあり、脚立の左右揺れを完全に止めることはできない。
【０００８】
本発明は、このような事実に基づいたもので、折り畳んで１本にすることができる脚立であって、開いて自立させ、使用状態にしたときの安定性に優れた脚立を提供することを目的としている。
【課題を解決するための手段】
【０００９】
上記の目的を達成するために本発明の折り畳み式脚立は、頂部で１箇所に纏められて回動自在に結合され、下端が開いた使用状態と相互にほぼ平行に閉じた格納状態とに開閉可能な３本以上の脚部と、前記頂部に軸方向の移動が自在に支持された中心軸と、該中心軸の上端に固定されたストッパと、中心軸の下端に固定された固定ブロックと、中心軸の中間にスライド自在に設けられた１以上のスライドブロックと、各脚部に一端が回動自在に結合され他端が前記固定ブロック又はスライドブロックと回動自在に結合された複数の踏み板と、前記固定ブロックとスライドブロック又は隣接するスライドブロック相互間に設けられ前記使用状態のとき、上下にある踏み板をほぼ水平状態に維持する補強スペーサと、を有することを特徴としている。
【００１０】
又は、頂部で１箇所に纏められて回動自在に結合され、下端が開いた使用状態と相互にほぼ平行に閉じた格納状態とに開閉可能な３本以上の脚部と、前記頂部に一端が固定され、前記複数の脚部のほぼ中心に配置される中心軸と、該中心軸にスライド自在に設けられた複数のスライドブロックと、各スライドブロックの下限位置を設定するために前記中心軸に設けられた複数のストッパと、前記脚部の異なる位置に離間して設けられ、それぞれの一端が前記脚部に他端が前記別々のスライドブロックにそれぞれ回動自在に結合される複数の踏み板と、を有することを特徴としている。
【００１１】
前記各脚部の外側面を円筒面の一部とし、前記３本以上の脚部を格納状態にして１本に纏めたとき、複数の脚部でほぼ円筒形になる構成とすることができる。
【００１２】
また、前記補強スペーサが、大小２つの筒体からなり、大きな筒体に小さな筒体が進入可能で、小さな筒体を大きな筒体から引き抜いて、中心軸回りに所定角度回転させたとき小さい筒体が大きな筒体に進入不能となる構成としたり、前記小さな筒体又は大きな筒体が所定角度回転した状態で前記筒体同士が当接したとき、小さな筒体の中心軸回りの回転を阻止する凹凸部が、大きな筒体及び／又は小さな筒体に形成されている構成とすることができる。
【００１３】
あるいは、前記補強スペーサが、上下に隣接する踏み板間にあって一端が前記ブロック又は踏み板に回動自在に取り付けられた棒状体からなり、該棒状体は、格納状態では前記踏み板と重なり合い、使用状態では格納状態からほぼ９０゜回転して先端が上又は下の踏み板に当接する構成としてもよい。
【００１４】
さらには、前記補強スペーサが、前記上下の踏み板間に着脱自在に設けられた棒状体である構成とすることも可能である。
【発明の効果】
【００１５】
中心軸がスライド自在になった折り畳み式脚立は、３本以上の脚部の下端を傘状に拡げると、各脚部と中心軸との間に、折り畳まれていた踏み板がほぼ水平な使用状態になる。この使用状態のとき中心軸は、上端にあるストッパの作用によって、それ以上の下降は出来ない状態になる。また、一番下の踏み板の中心軸側は、固定ブロックに係止されているので、やはり、下降できない状態である。この踏み板の脚部側も下降出来ない状態なので、一番下の踏み板はほぼ水平な状態に保たれ、人が乗っても安定した状態となる。しかし、上の踏み板は、人が乗ると、中心軸側のスライドブロックに支持されている端部が下方に下がり、不安定な状態となる。そこで、固定ブロックとそのすぐ上のスライドブロックとの間、又は隣接するスライドブロック間に補強スペーサを設け、上の踏み板のスライドブロックが下がらないようにする。補強スペーサを取り付けると、各踏み板はほぼ水平な状態で中心軸側も降下することがなくなる。こうすることで、どの踏み板も最終的にはストッパで支えられることになり、人が乗ることができるようになる。脚部が３本以上あり、傘状に拡がっているので、脚立として非常に安定しており、人が乗っても転倒することなく、安心して使用できる。
【００１６】
折り畳むときは、補強スペーサを格納状態にしてから、各脚部の下端を中央に寄せて各脚部の下端を中心に纏めると、脚立は１本に折り畳まれることになる。このとき、中心軸は上昇し、脚部の上に一部が突出した状態となる。
【００１７】
中心軸が軸方向の移動ができないように固定されている場合は、全てのブロックを中心軸に対してスライド自在なスライドブロックにする。そして、各スライドブロックの下限位置を決めるストッパを中心軸に設ける。脚部が開いたとき、一番下のスライドブロックが中心軸の下端に設けられたストッパに当接し、その上のスライドブロックが次のストッパに当接し、各スライドブロックがそれぞれのストッパに当接する。こうすることで、各踏み板の中心軸側は、降下することがなくなり、踏み板は水平状態を保持でき、人が乗ることができる。
【００１８】
折り畳むときは、補強スペーサを格納状態にしてから、各脚部の下端を中央に寄せて各脚部の下端を中心に纏めると、脚立は１本に折り畳まれることになる。このとき、下側のスライドブロックが中心軸上を上昇するが、上のストッパに当たらないように配置する。
【００１９】
本発明の折り畳み式脚立は、使用状態に展開するのも、収納状態に折り畳むのも非常に簡単に、かつ、短時間にできる。また、使用状態での安定性に優れている。折り畳んだとき、１本の棒状になるので、非常にコンパクトになり、持ち運びが容易である。
【００２０】
中心軸を軸方向に移動できないようにすることで、折り畳んだとき中心軸が脚部の頂部から上に突出することを無くすことができる。
【００２１】
各脚部の形状を円筒面の一部にし、全ての脚部を纏めたときに円筒形状となるようにすると、折り畳んだ脚立は、１本の丸棒のようになり、持ちやすくなるので、さらに取り扱い易くなる。
【００２２】
補強スペーサを、大小２つの筒体から構成し、脚立の格納状態では、大きい筒体に小さい筒体が進入することで、短くすることができる。脚立の使用状態では、小さい筒体を大きい筒体から引き抜いて、中心軸回りに所定角度回転させることで、小さい筒体が大きい筒体に進入不能となり、伸長状態となるので、上下の踏み板の間隔を一定に保つことができる。この構成により、補強スペーサの構成を簡単で、しかも確実なものにすることができる。
【００２３】
前記補強スペーサを棒状体から構成し、この棒状体が使用状態では踏み板と重なる格納状態からほぼ９０゜回転して先端が上の踏み板に当接するようにしてもよい。この構成でも人が上の踏み板に安定して乗ることができる。また、補強スペーサを安価に製造することができる。
【００２４】
補強スペーサを、たとえば、円筒形状の一箇所が開いてＣ型断面の棒状にして、中心軸に着脱自在に取り付けるようにしてもよい。このような構成にすると、補強スペーサをさらに安価に製造することができる。
【発明を実施するための最良の形態】
【００２５】
以下、本発明の実施の形態を添付図面を参照して説明する。
【００２６】
図１は、本発明の折り畳み式脚立の使用状態を示す正面図で、図２は収納状態を示す図で（ａ）は正面図、（ｂ）は（ａ）のＡ−Ａ線の拡大断面図である。本発明の折り畳み式脚立１００は、４本の脚部１０１，１０２，１０３，１０４を有する。これら４本の脚部１０１，１０２，１０３，１０４は、上端が頂部ブロック１０５に回動自在に結合されて１つに纏まっている。そして、下端が図１に示す傘のように開いた使用状態にしたり、図２に示すように閉じて１本にした格納状態にしたりすることができる。
【００２７】
各脚部１０１，１０２，１０３，１０４は、図２（ｂ）に示すように、円筒の１／４を占める円弧形状であり、折り畳んだ格納状態では、４本の脚部が一体になって、１本の円筒を構成する。実施例では、脚部が４本なので、各脚部は１／４円弧であるが、脚部が３本であれば１／３円弧、５本であれば１／５円弧にすればよい。
【００２８】
頂部ブロック１０５には貫通孔があり、ここに中心軸１１０がスライド自在に取り付けられている。中心軸１１０の頂部にはストッパ１１１が固定され、下端には固定ブロック１１２が固定され、中間には、スライドブロック１１３が中心軸１１０上を昇降自在に取り付けられている。
【００２９】
４本の脚部１０１，１０２，１０３，１０４には、それぞれ２本ずつの踏み板１２１，１２２の各一端が、取り付けられているが、これらはすべて回動自在な状態である。下側の各踏み板１２１の他端は、固定ブロック１１２に回動自在に結合し、上側の踏み板１２２はスライドブロック１１３に回動自在に結合している。踏み板１２１，１２２は実施例では上下２本であるが、スライドブロック１１３を増やすことで３本以上にすることができる。
【００３０】
なお、本発明の実施例では４本の脚部１０１，１０２，１０３，１０４全てに踏み板１２１，１２２を設けたが、いずれか１本の脚部にだけ設けることにしてもよい。ただし、本実施例のように４本全てに踏み板１２１，１２２を設けることで、脚立１００を安定したものとし、かつ、丈夫なものにすることができる。
【００３１】
図２の閉じた格納状態から、脚部１０１，１０２，１０３，１０４が開くと中心軸１１０が降下して、中心軸１１０の上端に固定されたストッパ１１１が頂部ブロック１０５に当接すると、図１に示す開いた使用状態になる。中心軸１１０はそれ以上下降できなくなり、脚部１０１，１０２，１０３，１０４もそれ以上開かなくなる。このとき、下側の踏み板１２１はほぼ水平な状態になる。そして、同時に、スライドブロック１１３も、上側の踏み板１２２がほぼ水平になる位置に来る。
【００３２】
この状態のとき、下側の踏み板１２１は、一端が脚部１０１，１０２，１０３，１０４のいずれかに固定され、他端は固定ブロック１１２に固定された状態である。そして、固定ブロック１１２は中心軸１１０がストッパ１１１により降下できない状態なので、下側の踏み板１２１の固定ブロック１１２側は、上方には移動できるが、下方には移動できない状態となっている。したがって、人が下側の踏み板１２１に乗っても下がることがなく安定し、脚立として使用することができる。
【００３３】
一方、上側の踏み板１２２は、脚部１０１，１０２，１０３，１０４のいずれかに固定された方の端部は、昇降しないが、スライドブロック１１３に固定された方の端部は、上下双方向にスライド可能な状態である。したがって、この状態で上側の踏み板１２２に人が乗ると、上側の踏み板１２２の中心軸１１０側が降下して、安定して使用することができない。そこで、本発明では以下に説明するような補強スペーサ１３０を設けることで、上側の踏み板１２２にも人が乗れるようにしている。
【００３４】
図３は、補強スペーサ１３０が見えるように図１の中央の脚部１０２，１０３を仮想線で示した図である。図４は、補強スペーサ１３０とその周辺の拡大図で、（ａ）は格納状態を示す図、（ｂ）は使用状態を示す図で、図５（ａ）は、図４（ａ）のＢ−Ｂ線の拡大断面図で、（ｂ）は、図４（ｂ）のＣ−Ｃ線の拡大断面図で、図６は、補強スペーサ１３０の要部の接合直前状態を示す要部拡大斜視図である。
【００３５】
図２に示すように、本発明の脚立を折り畳んだ状態では、ブロック１１２とブロック１１３間の距離Ｈ１は、図３に示す脚立を使用状態にしたときの距離Ｈ２より小さくなっている。したがって、補強スペーサ１３０の長さは、使用状態と格納状態とで相違させなければならない。本発明の補強スペーサ１３０は、以下のような構成によりこれを可能にしている。
【００３６】
本発明の補強スペーサ１３０は、四角形の小さい筒体１３１と、大きい筒体１３２とから構成される。両筒体には、共に中心軸１１０が貫通している。小さい筒体１３１は大きい筒体１３２内に挿入可能な大きさである。小さい筒体１３１は、下端をブロック１１２に固定しなくてもよいが、固定すると取り扱い易くなる。大きい筒体１３２は、両端ともに固定されずにフリーの状態で、手で掴むことで、昇降させることができる。格納状態では、図４（ａ）に示すように、小さい筒体１３１が大きい筒体１３２内に収容されて補強スペーサ１３０とブロック１１３との間には中心軸１１０の露出した部分ができている。
【００３７】
図２の折り畳んだ状態の脚立１００を図１に示す使用状態に拡げたとき、補強スペーサ１３０は、図５（ａ）に示すように、小さい筒体１３１は、大きい筒体１３２と同じ向きになって大きい筒体１３２内に進入している。そこで、図４（ａ）及び図５（ａ）の状態から大きい筒体１３２を持ち上げて小さい筒体１３１を完全に抜き出し、大きい筒体１３２を中心軸１１０を中心にして４５゜回転する。
【００３８】
小さい筒体１３１は、図６に示すように、頂部の角を切り落とし、角面１３１ａを形成して凹凸部としている。角面１３１ａは、小さい筒体１３１の４隅に形成され、４つの角面１３１ａで形成される四角の凹凸部は、大きい筒体１３２の中に入るが、小さい筒体１３１が回転はできない程度の大きさになっている。
【００３９】
大きい筒体１３２を中心軸１１０回りに４５゜回転させると、図６に示すように、小さい筒体１３１の４つの角面１３１ａが大きい筒体１３２に収容され、小さい筒体１３１は大きい筒体１３２内に入らなくなり、図４（ｂ）に示すような使用状態となる。このときの補強スペーサ１３０の長さは、小さい筒体１３１と大きい筒体１３２の長さを足したものとほぼ同じになる。
【００４０】
補強スペーサ１３０が図４（ｂ）に示すような使用状態のとき、その下端は下側の踏み板１２１に当接し、上端は上側の踏み板１２２に当接している。そして、ブロック１１３は、図の上方には移動できるが、下方には移動できない状態となる。また、上側の踏み板１２２はほぼ水平な状態となるようにしている。
【００４１】
この状態になると、上側の踏み板１２２に人が乗っても、補強スペーサ１３０があるので上側の踏み板１２２は降下しなくなり、脚立として安心して使用することができる。踏み板が３本以上ある場合は、各ブロックとブロックとの間に補強スペーサ１３０を同様に設ければよい。
【００４２】
以上の実施例では、小さい筒体１３１と大きい筒体１３２に、四角の筒体を使用したが円形の筒以外であれば、長方形、三角形などの各種の多角形、楕円形、卵形などの大小の筒体を使用することができる。また、小さい筒体１３１を上方に配置することもできる。４５゜回転する筒体も実施例では大きい筒体１３２であったが、小さい筒体１３１の方を回転してもよい。
【００４３】
折り畳むときは、小さい筒体１３１を大きい筒体１３２内に収容し格納状態にする。このときの補強スペーサ１３０の長さは、大きい筒体１３２と小さい筒体１３２の長い方の長さと同じになる。この後、ブロック１１２を若干持ち上げると、踏み板１２１，１２２の中心軸１１０側が上昇して傾斜し、中心軸１１０の上昇を促す。中心軸１１０が上昇すると、脚部１０１，１０２，１０３，１０４が中心に向かって集まり、やがて、図２に示す折り畳んだ状態となる。
【００４４】
図７は、本発明の補強スペーサの第２実施例の折り畳み式脚立を示す正面図である。この実施例では、補強スペーサ１５０を、１端がブロック１１２に回動自在に結合された棒状体１５１，１５２で構成している。これらの棒状体１５１，１５２は、格納状態では、下側の踏み板１２１と重なっているが、使用状態になると、矢印方向に回転して先端が上側の踏み板１２２に当接して、支えることになる。図７では、棒状体１５１，１５２を中心軸１１０の両側に設けたが、いずれか一方でもよい。また、棒状体１５１，１５２を上側の踏み板１２２に設けて、９０゜回転して先端を下側の踏み板１２１に当接するようにしてもよい。補強スペーサ１５０をこのような構成にすることで、安価に製造することができる。
【００４５】
図８は、本発明の補強スペーサの第３実施例の要部を示す図である。この実施例では、補強スペーサ２３０としてＣ型チャンネルの棒材を使用している。そして、使用するときは図１のように脚立を開いてから、補強スペーサ２３０を開口２３０ａからブロック１１２とブロック１１３との間に嵌め込み、図２のように折り畳むときは、補強スペーサ２３０を取り外す。このような構成にすると、補強スペーサ２３０の構造を簡単にすることができ、安価に製造することができるようになる。
【００４６】
図９は、本発明の折り畳み式脚立で、中心軸１１０が固定された例を示す図である。この実施例は、図１に示す実施例と共通している部分が多いが、相違する部分を中心に説明する。中心軸１１０は、その上端を脚部１０１，１０２，１０３，１０４の収束された頂部に固定し、中心軸１１０がその長さ方向に移動できないようにしている。中心軸１１０の上端には円盤１１４があるが、これは必須のものではない。
【００４７】
中心軸１１０には、複数のスライドブロック１１３，１１６が貫通している。この実施例では、最下部のブロックも、中心軸１１０にスライド自在なスライドブロック１１６となっている。また、中心軸１１０には、下端にストッパ１１５が、中間にストッパ１１７が固定されている。下端のストッパ１１５はスライドブロック１１６の下限位置を決めるもので、中間のストッパ１１７は、スライドブロック１１３の下限位置を決めるものである。その他の構成は図１に示す実施例と同じである。
【００４８】
この脚立２００は、使用状態を図９に示すが、使用状態において、スライドブロック１１６は、ストッパ１１５に当接し、上昇は可能だが下降は出来ない状態となっている。また、スライドブロック１１３はストッパ１１７に当接し、同じく上昇は可能だが下降は出来ない状態となっている。したがって、上下の踏み板１２１，１２２は人が乗っても水平を維持できる。
【００４９】
図１０は、折り畳み式脚立２００を折り畳んだ格納状態を示す。中心軸１１０は固定されており、全てのスライドブロック１１３，１１６が中心軸１１０をスライドすることで、折り畳むことができるようになっている。このようにすると、中心軸１１０が固定されているので、上端の円盤１１４は、脚部１０１，１０２，１０３，１０４の上端の同じ位置に止まり、図２に示すように中心軸１１０が脚部の上端から突出しない。したがって、折り畳んだとき、脚立２００は１本の円筒状になり、図１の実施例に比べて長さが短くなり、簡単な形状にすることができる。折り畳むとき、下のスライドブロック１１６が、中心軸１１０上を上昇するが、上のストッパ１１７に当たらない位置で格納状態になるように上のストッパ１１７の位置決めをしている。
【図面の簡単な説明】
【００５０】
【図１】本発明の折り畳み式脚立の使用状態を示す正面図である。
【図２】本発明の折り畳み式脚立の収納状態を示す図で（ａ）は正面図、（ｂ）は（ａ）のＡ−Ａ線拡大断面図である。
【図３】補強スペーサが見えるように図１の中央の脚部を仮想線で示した図である。
【図４】補強スペーサとその周辺の拡大図で、（ａ）は格納状態を示す図、（ｂ）は使用状態を示す図である。
【図５】（ａ）は、図４（ａ）のＢ−Ｂ線拡大断面図で、（ｂ）は、図４（ｂ）のＣ−Ｃ線拡大断面図である。
【図６】補強スペーサの要部の接合直前状態を示す要部斜視図である。
【図７】補強スペーサの第２実施例の折り畳み式脚立を示す正面図である。
【図８】補強スペーサの第３実施例の要部を示す図である。
【図９】本発明の折り畳み式脚立で、中心軸が固定された例の使用状態を示す図である。
【図１０】図９の折り畳み式脚立の格納状態を示す図である。
【符号の説明】
【００５１】
１００，２００    折り畳み式脚立
１０１，１０２，１０３，１０４    脚部
１１０    中心軸
１１１    （中心軸の上端の）ストッパ
１１２    固定ブロック
１１３    スライドブロック
１１５    （下のスライドブロックの）ストッパ
１１６    スライドブロック
１１７    （上のスライドブロックの）ストッパ
１２１，１２２    踏み板
１３０    補強スペーサ
１３１    小さい筒体
１３１ａ    凹部
１３２    大きい筒体
１５０    補強スペーサ
１５１，１５２    棒状体
２３０    補強スペーサ
【図１】
2008069621.tif 000003
【図２】
2008069621.tif 000004
【図３】
2008069621.tif 000005
【図４】
2008069621.tif 000006
【図５】
2008069621.tif 000007
【図６】
2008069621.tif 000008
【図７】
2008069621.tif 000009
【図８】
2008069621.tif 000010
【図９】
2008069621.tif 000011
【図１０】
2008069621.tif 000012